(57)【要約】【課題】    本発明の目的は、押さえ部材による透光部材への圧迫感を与えないようにした窓付き扉体を提供するものである。【解決手段】    窓付き扉体Ｄは、表面側に面する開口部１ａを有した本体１と、開口部１ａを塞ぐ透光部材２と、この透光部材２を透光部材２の裏面側から押さえ、本体１に取り付けられた押さえ部材３とを有し、この押さえ部材３は、本体１の奥行き方向から遠ざかるように傾斜する傾斜面３ａを有し、正面視で傾斜面３ａは本体１の表面側に面した透光部材２の外縁部２Ｘを本体１の奥行き方向に延長した仮想の延長線を超えて透光部材２の裏面側に位置しない位置にある。【選択図】図４
2015232200.tif 000002
【特許請求の範囲】
【請求項１】
表面側に面する開口部を有した本体と、
前記開口部を塞ぐ透光部材と、
この透光部材を前記透光部材の裏面側から押さえ、前記本体に取り付けられた押さえ部材とを有し、
この押さえ部材は、前記本体の奥行き方向から遠ざかるように傾斜する傾斜面を有し、
正面視で前記傾斜面は前記本体の表面側に面した前記透光部材の外縁部を前記本体の奥行き方向に延長した仮想の延長線を超えて前記透光部材の裏面側に位置しない前記延長線又は、前記延長線の手前の前記透光部材の裏面の位置にある。
ことを特徴とする窓付き扉体。
【請求項２】
開口部は、本体の表面側に位置する第１の開口部と、前記本体の裏面側に位置し、前記第１の開口部より大きい第２の開口部とを有し、
前記第１の開口部の周縁は、第１の開口周縁部であり、 
前記第２の開口部の周縁は、第２の開口周縁部であり、
前記第１の開口周縁部の内側壁と前記第２の開口周縁部の内側壁とを接続する面は接続面であり、
透光部材は、周縁部であって肉厚が薄い薄肉部と、前記周縁部を除いた部分であって前記薄肉部の前記肉厚より厚い肉厚部とを有し、
前記透光部材の前記肉厚部の表面は、前記第１の開口部を介して前記本体の表面側に位置し、
前記透光部材の前記肉厚部と前記薄肉部との境界部で露出した前記肉厚部の外周端面は前記第１の開口周縁部の内側壁に、前記透光部材の薄肉部の表面は前記接続面に、それぞれ当接し、
前記押さえ部材の傾斜面は、前記押さえ部材の先端である傾斜起端部から前記本体の奥行き方向に向かって遠ざかるように傾斜し、
前記傾斜起端部が前記透光部材の前記薄肉部の裏面に当接している
ことを特徴とする請求項１記載の窓付き扉体。
【請求項３】
第１の開口周縁部の内側壁は、本体の表面から裏面に向かって拡大するように傾斜した内側壁傾斜面を有し、
肉厚部の外周端面は薄肉部に向かって拡大するように傾斜した肉厚部傾斜面を有し、
前記内側壁傾斜面に前記肉厚部傾斜面が当接する
ことを特徴とする請求項２記載の窓付き扉体。
【請求項４】
押さえ部材は、透光部材の薄肉部の裏面と第２の開口周縁部の内側壁とにそれぞれ当接し、
肉厚部傾斜面を延長した仮想の延長面に押さえ部材の傾斜面が位置している
ことを特徴とする請求項３記載の窓付き扉体。
【発明の詳細な説明】
【技術分野】
【０００１】
本発明は、窓付き扉体に係り、特に、押さえ部材による透光部材への圧迫感を与えないようにした窓付き扉体に関する。
【背景技術】
【０００２】
本件発明者は、先に、採光窓付き内装パネルの表面と裏面にそれぞれ透光部材を設けた採光窓付き内装パネルを提案した（特許文献１参照）。
【先行技術文献】
【特許文献】
【０００３】
【特許文献１】特許第３８４２７８８号公報
【発明の概要】
【発明が解決しようとする課題】
【０００４】
ところが、採光窓付き内装パネル等の窓付き扉体にあっては、窓付き扉体の表面及び裏面の内、表面のみに透光部材を設けた窓付き扉体の必要性が生じた。
その際、透光部材の裏面に押さえ部材で透光部材を取り付けると、斜め視野で透光部材を介して押さえ部材が見えてしまい、押さえ部材による透光部材への圧迫感が生じるという問題点が生じた。
【０００５】
本発明は、上記の問題点を考慮してなされた窓付き扉体を提供することを目的とする。
【課題を解決するための手段】
【０００６】
請求項１記載の窓付き扉体は、表面側に面する開口部を有した本体と、前記開口部を塞ぐ透光部材と、この透光部材を前記透光部材の裏面側から押さえ、前記本体に取り付けられた押さえ部材とを有し、この押さえ部材は、前記本体の奥行き方向から遠ざかるように傾斜する傾斜面を有し、正面視で前記傾斜面は前記本体の表面側に面した前記透光部材の外縁部を前記本体の奥行き方向に延長した仮想の延長線を超えて前記透光部材の裏面側に位置しない前記延長線又は、前記延長線の手前の前記透光部材の裏面の位置にある。
【０００７】
また、請求項２記載の窓付き扉体は、請求項１記載の窓付き扉体において、開口部は、本体の表面側に位置する第１の開口部と、前記本体の裏面側に位置し、前記第１の開口部より大きい第２の開口部とを有し、前記第１の開口部の周縁は、第１の開口周縁部であり、前記第２の開口部の周縁は、第２の開口周縁部であり、前記第１の開口周縁部の内側壁と前記第２の開口周縁部の内側壁とを接続する面は接続面であり、透光部材は、周縁部であって肉厚が薄い薄肉部と、前記周縁部を除いた部分であって前記薄肉部の前記肉厚より厚い肉厚部とを有し、前記透光部材の前記肉厚部の表面は、前記第１の開口部を介して前記本体の表面側に位置し、前記透光部材の前記肉厚部と前記薄肉部との境界部で露出した前記肉厚部の外周端面は前記第１の開口周縁部の内側壁に、前記透光部材の薄肉部の表面は前記接続面に、それぞれ当接し、前記押さえ部材の傾斜面は、前記押さえ部材の先端である傾斜起端部から前記本体の奥行き方向に向かって遠ざかるように傾斜し、前記傾斜起端部が前記透光部材の前記薄肉部の裏面に当接しているものである。
【０００８】
また、請求項３記載の窓付き扉体は、請求項２記載の窓付き扉体において、第１の開口周縁部の内側壁は、本体の表面から裏面に向かって拡大するように傾斜した内側壁傾斜面を有し、肉厚部の外周端面は薄肉部に向かって拡大するように傾斜した肉厚部傾斜面を有し、前記内側壁傾斜面に前記肉厚部傾斜面が当接するものである。
【０００９】
また、請求項４記載の窓付き扉体は、請求項３記載の窓付き扉体において、押さえ部材は、透光部材の薄肉部の裏面と第２の開口周縁部の内側壁とにそれぞれ当接し、肉厚部傾斜面を延長した仮想の延長面に押さえ部材の傾斜面が位置しているものである。
【発明の効果】
【００１０】
請求項１記載の窓付き扉体によれば、透光部材を前記透光部材の裏面側から押さえ部材により押さえるから、透光部材を窓付き扉体に保持することができ、しかも、押さえ部材は、本体の奥行き方向から遠ざかるように傾斜する傾斜面を有しているため、斜め視野で透光部材を介して押さえ部材が見えにくく、見えにくい分、押さえ部材による透光部材への圧迫感を与えず、透光部材を介して見せることができる。
【００１１】
肉厚部の外周面が薄肉部に対して直角になったものは、透光部材を斜め方向から見た場合、反射し輪郭が見えるが、請求項３記載の窓付き扉体によれば、前述の請求項１記載の発明の効果に加え、透光部材の肉厚部の外周面は薄肉部に向かって拡大するように傾斜した肉厚部傾斜面を有しているため、前述のように、反射せず輪郭が見えるのを防ぐことができる。
【００１２】
また、請求項４記載の窓付き扉体によれば、前述の請求項３記載の発明の効果に加え、押さえ部材は、透光部材の薄肉部の裏面と第２の開口周縁部の内側壁とにそれぞれ当接し、しかも、肉厚部傾斜面を本体の奥行き方向に延長した仮想の延長面に押さえ部材の傾斜面が位置し、傾斜起端部が透光部材の薄肉部の裏面に当接して、本体に取り付けられているため、斜め視野で透光部材を介して押さえ部材を見えにくくした中で押さえ部材で透光部材を強固に支持することができる。
【図面の簡単な説明】
【００１３】
【図１】図１は、本発明の一実施例の窓付き扉体の表側から見た概略的斜視図である。
【図２】図２は、図１の一部を分解して窓付き扉体の裏側から見た概略的一部分解断面図である。
【図３】図３は、図１の３−３の概略的断面図である。
【図４】図４は、図３の一部を拡大して示す概略的一部拡大断面図である。
【図５】図５は、図１の５−５の概略的断面図である。
【図６】図６は、図５の一部を拡大して示す概略的一部拡大断面図である。
【図７】図７は、図３の窓付き扉体と異なる他の実施例の概略的断面図である。
【図８】図８は、図７の一部を拡大して示す概略的一部拡大断面図である。
【図９】図９は、図５の窓付き扉体と異なる他の実施例の概略的断面図である。
【図１０】図１０は、図９の一部を拡大して示す概略的一部拡大断面図である。
【発明を実施するための形態】
【００１４】
本発明の一実施例の窓付き扉体を図面（図１乃至図１０）を参照して説明する。
図１に示すＤは、食器棚、音響機器のラック、本棚等の家具の扉等に使用される窓付き扉体で、窓付き扉体Ｄは、表面側に面する開口部１ａを有した本体１を備えている。本実施例の窓付き扉体Ｄは、例えば、食器棚窓付き扉体で、図１に示す１１は、取っ手である。
開口部１ａは、図２に示すように、本体１の表面側に位置する第１の開口部１ａ１と、本体１の裏面側に位置し、第１の開口部１ａ１より大きい第２の開口部１ａ２とを有している。
開口部１ａの形状は、本実施例では、長方形であるが、本願発明にあっては、長方形に限らず、正方形、円形、楕円形又は多角形等の環状体形状でも良い。
【００１５】
第１の開口部１ａ１の周縁は、図４及び図６に示すように、第１の開口周縁部であり、第２の開口部１ａ２の周縁は、第２の開口周縁部であり、前記第１の開口周縁部の内側壁Ｋ１と前記第２の開口周縁部の内側壁Ｋ２とを接続する面は接続面Ｓである。
第１の開口周縁部の内側壁Ｋ１は、本体１の表面から裏面に向かって拡大するように傾斜した内側壁傾斜面を有している。
【００１６】
図１に示す２は透光部材で、透光部材２は開口部１ａを塞ぐもので、例えば、アクリル樹脂等の透明な合成樹脂、透明なガラス等である。
透光部材２は、図２、図４及び図６に示すように、周縁部であって肉厚が薄い薄肉部２aと、前記周縁部を除いた部分であって薄肉部２ａの肉厚より厚い肉厚部２ｂとを有している。
透光部材２の肉厚部２ｂの表面は、第１の開口部１ａ１を介して本体１の表面側に位置している。
肉厚部２ｂの外周端面２ｂ１は薄肉部２ａに向かって拡大するように傾斜した肉厚部傾斜面を有し、第１の開口周縁部の内側壁Ｋ１に前記肉厚部傾斜面が当接する。
そして、透光部材２の肉厚部２ｂと薄肉部２ａとの境界部で露出した肉厚部２ｂの外周端面２ｂ１は第１の開口周縁部の内側壁Ｋ１に、透光部材２の薄肉部２aの表面は接続面Ｓに、にそれぞれ当接している。
なお、図３においては、透光部材２の薄肉部２ａの外周端面２ａ１は第２の開口周縁部の内側壁Ｋ２に当接していないが、透光部材２の薄肉部２ａの外周端面２ａ１を第２の開口周縁部の内側壁Ｋ２に当接するようにしても良い。
また、肉厚部２ｂの外周端面が薄肉部２ａに対して直角になったものは、透光部材２を斜め方向から見た場合、反射し輪郭が見えるが、透光部材２の肉厚部２ｂの外周端面２ａ１は薄肉部２ａに向かって拡大するように傾斜した肉厚部傾斜面を有していると、前述のように、反射せず輪郭が見えるのを防ぐことができる。
なお、肉厚部２ｂの表面は、図３に示すように、本体１の表面より突出しているが、望ましくは、肉厚部２ｂの表面と本体１の表面とは、同面が良い。
また、上述した実施例（図１乃至図６）においては、肉厚部２ｂの外周端面２ｂ１は薄肉部２ａに向かって拡大するように傾斜した肉厚部傾斜面を有し、第１の開口周縁部の内側壁Ｋ１に前記肉厚部傾斜面が当接するようにしたが、
本願発明にあっては、これに限らず、図７乃至図１０、特に、図８及び図１０に示すように、肉厚部２ｂの外周端面２ｂ１が薄肉部２ａに対して直角、この直角な面に当接するように、第１の開口周縁部の内側壁Ｋ１を本体１の表面から裏面に向かって拡大しないようにしても良い。
【００１７】
図２に示す３は押さえ部材で、押さえ部材３は、透光部材２を透光部材２の裏面側から押さえ、本体１に取り付けられている。押さえ部材３の本体１への取り付けは、例えば、接着剤による。
この押さえ部材３は、本体１の奥行き方向から遠ざかるように傾斜する傾斜面３ａを有している。
押さえ部材３の傾斜面３ａは、図４及び図６に示すように、押さえ部材３の先端である傾斜起端部３ａ１から本体１の奥行き方向に向かって遠ざかるように傾斜し、傾斜起端部３ａ１が透光部材３の薄肉部２ａの裏面に当接している。
そして、図４に示すように、正面視で傾斜面３ａは本体１の表面側に面した透光部材２の外縁部２Ｘを本体１の奥行き方向に延長した仮想の延長線Ｅを超えて透光部材２の裏面側に位置しないように延長線Ｅの手前（又は、延長線Ｅ）の透光部材２の裏面の位置している。
【００１８】
従って、上述した窓付き扉体Ｄによれば、透光部材２を透光部材２の裏面側から押さえ部材３により押さえるから、透光部材２を窓付き扉体Ｄに保持することができ、しかも、押さえ部材３は、本体１の奥行き方向から遠ざかるように傾斜する傾斜面３ａを有しているため、斜め視野で透光部材２を介して押さえ部材３が見えにくく、見えにくい分、押さえ部材３による透光部材２への圧迫感を与えず、透光部材２を介して見せることができる。
【００１９】
また、押さえ部材３が透光部材２の薄肉部２ａの裏面と第２の開口周縁部の内側壁Ｋ２とにそれぞれ当接し、しかも、肉厚部傾斜面を延長した仮想の延長面に押さえ部材３の傾斜面３ａが位置し、傾斜起端部３ａ１が透光部材２の薄肉部２ａの裏面に当接して、本体１が押さえ部材３に取り付けられているため、斜め視野で透光部材２を介して押さえ部材３を見えにくくした中で押さえ部材３で透光部材２を強固に支持することができる。
【００２０】
なお、図７乃至図１０記載の実施例においては、上述した実施例（図１乃至図６）と同一部分に同一符号を付して、その説明を省略する。
【符号の説明】
【００２１】
Ｄ      窓付き扉体
１      本体
１ａ    開口部
２      透光部材
２Ｘ    外縁部
３      押さえ部材
３ａ    傾斜面
【図１】
2015232200.tif 000003
【図２】
2015232200.tif 000004
【図３】
2015232200.tif 000005
【図４】
2015232200.tif 000006
【図５】
2015232200.tif 000007
【図６】
2015232200.tif 000008
【図７】
2015232200.tif 000009
【図８】
2015232200.tif 000010
【図９】
2015232200.tif 000011
【図１０】
2015232200.tif 000012